(57)【特許請求の範囲】
【請求項１】
少なくとも１つのプロセッサと、
コンピュータプログラムコードを含む少なくとも１つのメモリと、
を備えた装置において、前記少なくとも１つのメモリ及びコンピュータプログラムコードは、前記少なくとも１つのプロセッサと共に、前記装置が、少なくとも、
マクロセルにサービスするベースステーションとの第１の接続及びローカルエリアベースステーションのクラスターに属する第１のローカルエリアベースステーションとの第２の接続を有し；
前記第１の接続に関連した第１のアイデンティティ及び前記第２の接続に関連した第２のアイデンティティを有し；
前記クラスターに属する第２のローカルエリアベースステーションへスケジューリング要求を送信し；
前記第２のローカルエリアベースステーションから応答を受信しそして前記第２のローカルエリアベースステーションとの接続に前記第２のアイデンティティを関連付けた後に前記第２のローカルエリアベースステーションと通信し；及び
前記第２のアイデンティティに関する第２のローカルエリアベースステーション情報を送信する；
ようにさせるよう構成された、装置。
【請求項２】
少なくとも１つのプロセッサと、
コンピュータプログラムコードを含む少なくとも１つのメモリと、
を備えたベースステーションの装置において、前記少なくとも１つのメモリ及びコンピュータプログラムコードは、前記少なくとも１つのプロセッサと共に、前記装置が、少なくとも、
ローカルエリアベースステーションのクラスターに属し；
接続に関連した第１のアイデンティティを有するユーザ装置との接続を有し；
スケジューリング要求を前記クラスターの別のローカルエリアベースステーションへ送信するための要求であってターゲット候補ベースステーションのリストを含む要求をユーザ装置から受信し；
前記ターゲット候補ベースステーションのリストから１つ以上の適当なターゲットベースステーションを決定し；
前記スケジューリング要求を送信するためのリソースを決定し；
前記要求に対する応答であって前記リストの１つ以上のベースステーションを許可されたターゲットとして含む応答を前記ユーザ装置へ送信し；及び
前記第１のアイデンティティに関する情報を前記クラスターの他のベースステーションへ送信する；
ようにさせるよう構成されたベースステーションの装置。
【請求項３】
マクロセルにサービスするベースステーションとの第１の接続及びローカルエリアベースステーションのクラスターに属する第１のローカルエリアベースステーションとの第２の接続を有し；
前記第１の接続に関連した第１のアイデンティティ及び前記第２の接続に関連した第２のアイデンティティを有し；
前記クラスターに属する第２のローカルエリアベースステーションへスケジューリング要求を送信し；
前記第２のローカルエリアベースステーションから応答を受信しそして前記第２のローカルエリアベースステーションとの接続に前記第２のアイデンティティを関連付けた後に前記第２のローカルエリアベースステーションと通信し；及び
前記第２のアイデンティティに関する第２のローカルエリアベースステーション情報を送信する；
ことを含む方法。
【請求項４】
ローカルエリアベースステーションのクラスターに属し；
接続に関連した第１のアイデンティティを有するユーザ装置との接続を有し；
スケジューリング要求を前記クラスターの別のローカルエリアベースステーションへ送信するための要求であってターゲット候補ベースステーションのリストを含む要求をユーザ装置から受信し；
前記ターゲット候補ベースステーションのリストから１つ以上の適当なターゲットベースステーションを決定し；
前記スケジューリング要求を送信するためのリソースを決定し；
前記要求に対する応答であって前記リストの１つ以上のベースステーションを許可されたターゲットとして含む応答を前記ユーザ装置へ送信し；及び
前記第１のアイデンティティに関する情報を前記クラスターの他のベースステーションへ送信する；
ことを含む、ベースステーションにおける方法。
【発明の詳細な説明】
【技術分野】
【０００１】
本発明の規範的な非限定実施形態は、一般的に、ワイヤレス通信システムに関する。特に、本発明の実施形態は、通信ネットワークにおける装置、方法及びコンピュータプログラム製品に関する。
【背景技術】
【０００２】
背景技術の以下の説明は、本発明以前に関連技術で知られておらずに本発明により提供される開示と一緒に、洞察力、発見、理解又は開示、或いは連想を含む。本発明のそのようなある貢献は、以下に特に指摘される一方、本発明の他のそのような貢献は、それらの文脈から明らかとなろう。
【０００３】
ワイヤレス通信システムは、常時、開発中である。開発中のシステムは、データレートが高く且つリソース利用効率の良い、費用効果の高いサポートを提供する。開発中の１つの通信システムは、第３世代パートナーシッププロジェクト（３ＧＰＰ）長期進化（ＬＴＥ）であり、後に、ＬＴＥ−アドバンスト（ＬＴＥ−Ａ）としても知られている。ＬＴＥは、高速データ、マルチメディアユニキャスト、及びマルチメディアブロードキャストサービスのような種々のサービスをサポートするように構成されている。
【０００４】
開発中の１つの態様は、小型セルの概念である。広いエリアにサービスするマクロセルのもとに、小型セル層があるか、又はローカルエリアカバレージを伴う多数のより小さなセルがあることが提案されている。小型セルは、ベースステーション及びユーザ装置（ＵＥ）の電力消費を減少することができ、且つマクロセル層から小型セル層へトラフィックをオフロードするのに使用でき、又、将来の幾つかの新規なサービス形式を潜在的に可能にする。
【０００５】
ＵＥがマクロセル層及び小型セル層に対する二重接続性をもてることが提案されている。二重接続性とは、ＵＥと２つの異なるセル層との論理的関係を意味する。ＵＥは、マクロセル及び小型セル層に対して同時に確立される物理的リンクを有するか、又はＵＥは、物理的リソースを時間でスイッチするか、或いはＵＥは、小型セルを経てその論理的マクロ接続を実行させる。小型セル層における協力的送信は除外されない。
【発明の概要】
【０００６】
本発明の態様によれば、請求項１に記載の装置が提供される。
【０００７】
本発明の態様によれば、請求項６に記載の装置が提供される。
【０００８】
本発明の態様によれば、請求項１０に記載の装置が提供される。
【０００９】
本発明の態様によれば、請求項１１に記載の方法が提供される。
【００１０】
本発明の態様によれば、請求項１６に記載の方法が提供される。
【００１１】
本発明の態様によれば、請求項２０に記載の方法が提供される。
【００１２】
本発明の実施形態は、従属請求項に規定される。
【００１３】
本発明の実施形態は、添付図面を参照して以下に一例として詳細に説明する。
【図面の簡単な説明】
【００１４】
【図１】通信環境の一例を示す。
【図２】本発明の実施形態を示すフローチャートである。
【図３】本発明の実施形態を示すフローチャートである。
【図４】本発明の実施形態を示すフローチャートである。
【図５】本発明の実施形態を適用する装置の一例を示す。
【図６】本発明の実施形態を適用する装置の一例を示す。
【図７】本発明の実施形態を示すシグナリングチャートである。
【発明を実施するための形態】
【００１５】
以下の実施形態は、例示に過ぎない。本明細書の多数の位置に「一」、「１つの」又は「幾つかの」実施形態という語が現れるが、これは、必ずしも、各々が同じ実施形態を指すか、又はその特徴が１つの実施形態のみに適用されることを意味していない。又、異なる実施形態の１つの特徴を組み合わせて、他の実施形態を構成することもできる。更に、「備える(comprising)」及び「含む(including)」という語は、ここに述べる実施形態を、ここに述べた実施形態のみで構成すると限定されるものではなく、且つそのような実施形態は、ここに特に述べられていない特徴、構造、ユニット、モジュール、等も包含し得ることを理解されたい。
【００１６】
これらの実施形態は、任意のベースステーション、ネットワーク要素、ユーザ装置（ＵＥ）、サーバー、対応コンポーネント、及び／又は通信システム、或いは必要な機能をサポートする異なる通信システムの組み合わせに適用することができる。
【００１７】
使用するプロトコル、通信システムの仕様、サーバー及びユーザターミナルは、特に、ワイヤレス通信では、急速に開発がなされている。そのような開発は、実施形態に対して余計な変更を要求する。それ故、全ての語及び表現は、広く解釈されるべきであり、実施形態を例示するものであって、限定するものではない。
【００１８】
通信システムに使用すべき多数の異なる無線プロトコルが存在する。異なる通信システムの幾つかの例は、ユニバーサル移動テレコミュニケーションシステム（ＵＭＴＳ）無線アクセスネットワーク（ＵＴＲＡＮ又はＥ−ＵＴＲＡＮ）、長期進化（ＬＴＥ(登録商標)、Ｅ−ＵＴＲＡとしても知られている）、長期進化アドバンスト（ＬＴＥ−Ａ(登録商標)）、ＩＥＥＥ  ８０２．１１規格、マイクロ波アクセスのためのワールドワイド相互運用性（ＷｉＭＡＸ）に基づくワイヤレスローカルエリアネットワーク（ＷＬＡＮ）、Ｂｌｕｅｔｏｏｔｈ(登録商標)、パーソナル通信サービス（ＰＣＳ）、及び超ワイドバンド（ＵＷＢ）テクノロジーを使用するシステムである。ＩＥＥＥは、インスティテュート・オブ・エレクトリカル・アンド・エレクトロニックス・エンジニアズを指す。ＬＴＥ及びＬＴＥ−Ａは、第３世代パートナーシッププロジェクト３ＧＰＰにより開発された。
【００１９】
図１は、幾つかの要素及び機能的エンティティだけを示す通信環境の簡単な図で、それらは全て論理的ユニットで、図示されたものと実施が異なってもよい。図１に示す接続は、論理的な接続であり、実際の物理的接続は、異なってもよい。当業者であれば、このシステムは、他の機能及び構造も含むことが明らかであろう。通信において又は通信のために使用する機能、構造、要素及びプロトコルは、実際の発明とは関わりないことが明らかである。それ故、それらは、ここに詳細に述べる必要はない。
【００２０】
図１の例において、ＬＴＥ／ＳＡＥ（長期進化／システムアーキテクチャー進化）ネットワーク要素に基づく無線システムが示されている。しかしながら、これらの例において述べる実施形態は、ＬＴＥ／ＳＡＥ無線システムに限定されず、他の無線システムにおいても実施することができる。
【００２１】
図１のネットワークの簡単な例は、ＳＡＥゲートウェイ（ＧＷ）１００、及びＭＭＥ１０２を備えている。ＳＡＥゲートウェイ１００は、インターネット（ＮＥＴ）１０４への接続を与える。図１は、セル１０８にサービスするベースステーション又はｅＮｏｄｅＢ１０６を示す。この例では、ｅＮｏｄｅＢ１０６は、ＳＡＥゲートウェイ１００及びＭＭＥ１０２に接続される。又、この例では、セル１０８は、マクロセルであり、そしてｅＮｏｄｅＢ１０６は、マクロセルノードである。マクロノード１０６は、マクロｅＮｏｄｅＢ（ＭｅＮＢ）として示される。
【００２２】
一般的に、通信システムのｅＮｏｄｅＢ（エンハンストノードＢ）は、無線リソースマネージメントの機能、即ち無線ベアラコントロール、無線アドミッションコントロール、接続モビリティコントロール、動的リソース割り当て（スケジューリング）をホストする。ＭＭＥ１０２（移動管理エンティティ）は、ＵＥがネットワークに接続するときに通るｅＮｏｄｅＢの助けでモビリティ、セッション／コール及び状態管理について全体的にＵＥをコントロールする役割を果たす。ＳＡＥ  ＧＷ１００は、ネットワークと、例えば、インターネットのような通信ネットワークの他の部分との間のゲートウェイとして働くように構成されたエンティティである。ＳＡＥ  ＧＷは、２つのゲートウェイ、即ちサービングゲートウェイ（Ｓ−ＧＷ）とパケットデータネットワークゲートウェイ（Ｐ−ＧＷ）の組み合わせでよい。
【００２３】
ｅＮｏｄｅＢ１０６は、セル１０８への無線カバレージを与える。セル１０８は、利用するアンテナシステムに基づいて、任意のサイズ又は形態のものでよい。ｅＮｏｄｅＢ１０６は、ｅＮｏｄｅＢ１０６と、セル１０８内に位置するターミナル装置又はユーザ装置（ＵＥ）との間に確立されるセルラー無線通信リンクを制御する。ターミナル装置は、セルラー通信システムのユーザ装置、例えば、パーソナルコンピュータ（ＰＣ）、ラップトップ、ハンドヘルドコンピュータ、タブレット、移動電話、又はセルラー通信ネットワークと通信できる他のユーザターミナル又はユーザ装置である。
【００２４】
図１の例では、１組の小型セルがマクロセルにインストールされる。各小型セルは、ノードによりサービスされる。例えば、ノード１１８、１２０及び１２２によりサービスされる小型セル１１２、１１４、１１６が示されている。小型セルにサービスするノード１１８、１２０、１２２は、ローカルエリアベースステーション又はｅＮｏｄｅＢ（ＬＡｅＮＢ）として示され、そしてそれらは、小型セル層又は小型セルクラスターを形成する。実際には、小型セルの数は、３より著しく大きい。小型セルは、例えば、Ｘ２インターフェイスを使用して互いに接続される。又、マクロｅＮｏｄｅＢと小型セルｅＮｏｄｅＢとの間にもインターフェイスがある。ある実際的な展開では、このインターフェイスは、インターフェイスの実施技術、インターフェイスの限定容量、トランスポートリンクを経てエラー修正プロトコルを導入することによって得られるリンクの信頼性特性、又はリンク容量を高アクティビティ時間中に不充分にするがサイレント時間中に充分にするトラフィック特性のために、理想的なインターフェイス（例えば、光学的）に近いものではなく、著しい遅延を伴うインターフェイスである。そのようなインターフェイスを経てパケットトラフィックを配信すると、キューイング、遅延、及び遅延変化に直面することになる。
【００２５】
一実施形態において、小型セルは、小型セル配備に専用の個別の周波数層１２６において動作する。小型セル周波数層における動作は、小型セルのカバレージエリアにわたり別の周波数層においてカバレージを与える、上に横たわるマクロセルによって制御される。マクロセル層と小型セル層との間のコントロール関係は、選択されるアーキテクチャーに基づいて変化する。一実施形態では、マクロ層は、小型セル層で動作するＵＥに対する共通のコントロール情報を与える。
【００２６】
一実施形態では、小型セルは、上に横たわるマクロセルと同じ周波数層１２４において動作する。これは、例えば、ビルディングロスが充分な分離を与える場合、又はある座標メカニズムが適用される場合に考えられる。
【００２７】
小型セルに関する１つの問題は、モビリティに関するもので、即ち、マクロセル層にもコアネットワークインターフェイスにも大きな衝撃を与えずに実施できるように、小型セル層においてハンドオーバー及びサービングセル切り換えを実現することに関する。これらの問題は、小型セルの数又は密度がマクロカバレージにおいて高いときには重大なものとなる。又、これらの問題は、マクロｅＮｏｄｅＢと小型セルｅＮｏｄｅＢとの通信間の遅延が大きいためにマクロセルｅＮｏｄｅＢにより小型セル移動度を瞬間的に制御できないときにも重大なものとなる。頻繁な小型セル切り換えの問題は、動的特性を高め、リソースを動的に管理し、そしてネットワークインターフェイスの規模を決める。更に、レガシーハンドオーバー手順は、特に、マクロｅＮｏｄｅＢと小型セルｅＮｏｄｅＢとの間の通信遅延が顕著なときには、頻繁な小型セル切り換えに対してシグナリングが多量にあり且つ不必要に低速になる。特に、限定された１組の小型セルの中の小型セル層は、例えば、マクロセルと小型セルとの間の情報のシェアに比して小型セル間で情報を高速にシェアする機会があるために、小型セルの移動機能に多数の弛緩性を適用することができる。
【００２８】
一実施形態では、ＵＥがマクロセル層及び小型セル層への二重接続性を有する状態に対して層構造のモビリティが提案される。小型セルのモビリティは、マクロセルのモビリティとは独立して取り扱われる。マクロセルは、ＵＥ及びマクロ層のモビリティをコントロールし、一方、特定のマクロセルコントロールを伴わない小型セルのモビリティは、１組の小型セル又は小型セルクラスターに制限される。
【００２９】
マクロセルは、ＵＥのアクセス層コンテクスト、進化型パケットシステムＥＰＳコンテクスト、及び記憶されたセキュリティコンテクストを有するように、ＵＥを制御する。マクロセルは、ＵＥのＥＰＳ接続性、コアネットワークのインターフェイス、及び進化型パケットコア（ＥＰＣ）とのＥＰＳベアラ管理の役割を果たす。小型セルは、それらが規定のドメイン、範囲及び／又はサービスセット（例えば、Ｗｉ−Ｆｉサービスセットと同様の）を形成する場合には、一緒に管理される。
【００３０】
小型セル構成の管理は、マクロｅＮｏｄｅＢ（ＭｅＮＢ）により、又は小型セルそれ自体により、又はネットワークマネージメントエンティティにより、実現される。ＵＥに対するクラスターの第１サービング小型セルは、小型セル隣接セル構成とは個別に構成されてもよいし、又は隣接セルの定義が明確である場合には、小型セル隣接セル構成は、サービング小型セル構成に付加することができる。これらの構成は、ＵＥを単一接続性から二重接続性へセットし、ここで、単一接続性は、マクロ又は小型セルのいずれかのサービングセルを１つ有し、一方、二重接続性は、サービスされるＵＥに対して異なる機能的役割を有するサービングマクロセル及びサービング小型セルを有する。
【００３１】
マクロネットワークコンテクストとは別に、ＵＥのローカル小型セルコンテクストは、ＭｅＮＢによって生成されるか、又はＵＥが第１のサービング小型セルへの小型セル接続性を有した後に小型セルクラスターによって生成される。小型セルＵＥコンテクストは、第１の（元の）サービング小型セルにより規定され、この小型セルは、ＵＥコンテクストを、必要なときに、クラスター内の１つ以上の確認された小型セル隣接セルへ配布する。或いは又、小型セルＵＥコンテクストは、小型セルネットワーク内の小型セル管理手順（おそらく小型セル管理機能を含む）によって生成されるか、又はＭｅＮＢによって管理される。
【００３２】
一実施形態では、異なるセル層に対する個別のセル特有の無線ネットワーク一時的識別子（ｃ−ＲＮＴＩ）が使用される。マクロセルｃ−ＲＮＴＩは、サービングセルが変化するとき識別子が変化するレガシーウェイで振舞う。小型セル層では、ｃ−ＲＮＴＩは、サービング小型セルの変化時に変化する必要がない。
【００３３】
セル特有の無線ネットワーク一時的識別子（ｃ−ＲＮＴＩ）は、単一マクロセルによりサービスされるＵＥについてＭｅＮＢにより指定される。ｃ−ＲＮＴＩは、レガシーハンドオーバー手順によりサービングマクロセルが変化するときに変化する。
【００３４】
小型セルクラスターのＵＥ動作のために与えられる個別のｃ−ＲＮＴＩ識別は、小型セルｃ−ＲＮＴＩ（ｓｃ−ＲＮＴＩ）として表される。ＵＥは、ｓｃ−ＲＮＴＩによるその小型セルリソース割り当てを受け取ることができ、ｓｃ−ＲＮＴＩは、サービング小型セル変化時に変化する必要がないという点で、レガシーｃ−ＲＮＴＩ動作とは区別される。小型セルの変化にわたってｓｃ−ＲＮＴＩを保持することで、ＵＥは、セルの変化を開始できると共に、ＵＥは、ターゲットセルにおけるリソース割り当ての使用に有効なｓｃ−ＲＮＴＩについて容易に知ることができる。小型セルの展開において、小型セル当りのアイデンティティスペースの消費は、おそらく、小型セルサイズのために（及びセル当りのサービスされるＵＥの数が少ないために）セル当たり少ないが、単位面積にわたって大きなアイデンティティスペースが必要とされる。一例として、単一の小型セルでは、サービスされるＵＥのためにマクロセルにより予約される１６ビットスペース（６５０００以上のアイデンティティの）が必要とされないが、サービスされるＵＥに対して１組の小型セルを使用するために同じサイズ（６５０００）のアイデンティティスペースを予約することができ、マクロセルに比して単位面積当りの使用可能なアイデンティティを根本的に増加する。
【００３５】
時々、ＵＥのｓｃ−ＲＮＴＩは、例えば、初期に指定されたｓｃ−ＲＮＴＩが有効でない（又は空いている）小型セルにＵＥが入る前に、変化させねばならない。これは、ＲＲＣメッセージに含まれる個別のｓｃ−ＲＮＴＩ変化情報によって取り扱われる。この手順は、小型セルのハンドオーバー時に行う必要がなく、ＵＥが小型セルにおいてサービスされる間に実行できるという点で有益である。ｓｃ−ＲＮＴＩ変化情報エレメントの一例が以下に示されている。
sc-RNTI-Change {
old sc-RNTI
new sc-RNTI
SFN
}
【００３６】
ＳＦＮは、システムフレームナンバーを表し、現在サービングセルでは、新たなｓｃ−ＲＮＴＩのＳＦＮが有効となりそして古いｓｃ−ＲＮＴＩが無効となる。
【００３７】
別のものは、ＳＦＮナンバーなしに動作するが、シグナリングされた古いｓｃ−ＲＮＴＩを新規のｓｃ−ＲＮＴＩへ変化させ、その変化は、小型セルのｅＮＢがＵＥからｓｃ−ＲＮＴＩ−ＣｈａｎｇｅＲｅｓｐｏｎｓｅを受け取るときに有効となる。変化の時間は、ＵＥからｅＮＢによるｓｃ−ＲＮＴＩ−ＣｈａｎｇｅＲｅｓｐｏｎｓｅの受け取りの肯定確認時のサブフレームインデックスに関するものである（三方ハンドシェーク）。ＲＲＣメッセージのタイミング関係、その確認、及び確認の受け取りは、既知である。
【００３８】
ＵＥは、ＭｅＮＢのもとで小型セル層への接続を確立するときに小型セルクラスターにおける動作のためにｓｃ−ＲＮＴＩを受け取る。一実施形態では、ｓｃ−ＲＮＴＩは、ＭｅＮＢによりＵＥへシグナリングされる。別の実施形態では、ｃ−ＲＮＴＩが小型セルの中で決定及び整合され、そしてサービング小型セルによりＵＥへシグナリングされる。ｓｃ−ＲＮＴＩを整合する方法は、色々ある。ｓｃ−ＲＮＴＩは、小型セルサポートノード、アクセスコントローラ、又は他の同様のネットワークノードによって決定される。又、アイデンティティは、サービング小型セルにより決定され、そして例えば、接続されたＸ２インターフェイスにより小型セルクラスターにおける小型セル隣接セルへ伝播させられる。又、アイデンティティは、コントロールＭｅＮＢにより小型セルへ搬送される。一実施形態では、小型セルは、ローカルクラウドとして接続され、これは、クラウド内のアイデンティティシェアを管理することができる。
【００３９】
一実施形態では、小型セルクラスター内のハンドオーバーは、慣習的なＲＡＣＨ（ランダムアクセスチャンネル）手順よりも合理的な実施で実現される。ハンドオーバーを望むＵＥは、候補ターゲットセルリストをサービング小型セルへ送り込む。サービング小型セルは、ネットワークの好ましいプライオリティ順にターゲットセルの１つ以上にＵＥがアクセスするのを許可又は拒絶する応答を送出するように構成される。拒絶は、小型セルクラスターを横切るモビリティを制御するのに使用される。ＵＥは、１組の小型セルにおいて定義された専用のスケジューリング要求ＳＲリソースを使用することにより、許可された組から選択されたターゲットセルにアクセスする。ＳＲリソースは、無線リソースコントロールＲＲＣシグナリングを使用して定義される。従来の解決策では、ＳＲリソースは、サービングセルにおいてのみ定義される。
【００４０】
一実施形態では、スケジューリング要求ＳＲは、ターゲットセルとのハンドオーバー特有のシグナリングを必要とせずソースセルにより割り当てられる専用の物理的アップリンクコントロールチャンネルＰＵＣＣＨフォーマット１／１ａ／１ｂリソースを使用する（従って、従来のＰＲＡＣＨ（物理的ランダムアクセスチャンネル）プリアンブルの割り当てとは異なる）。
【００４１】
一実施形態では、セルアクセスＳＲリソースのセル特有の事前割り当てが使用される。セルアクセスＳＲリソースは、サービングセルＳＲリソースから分離される。この実施形態では、ネットワークは、各セルにおいて、小型セルクラスターエリアの隣接セルごとにＳＲベースのセルアクセスに対して１組のＰＵＣＣＨフォーマット１を定義する。換言すれば、ハンドオーバーの場合に、ソースセルは、各隣接ターゲットセル候補に１組の事前割り当てされたＰＵＣＣＨフォーマット１リソースを有する。ソースセルは、次いで、このターゲットセルにおける１組の事前割り当てされたリソースを形成する専用ＰＵＣＣＨフォーマット１リソースからＳＲ信号リソースをＵＥに割り当てることができる。又、ＵＥへの割り当ては、一時的であって、既定時間後に満了となるか、又はＵＥが同じリソースによりサービスされる状態に留まる限り有効のままとなる。ＵＥがサービングセルを切り換える場合には、当然、その新たな隣接ターゲットセルへの、そのソースセルに属する更新された指定を得ることになる。上述したように、ＵＥは、隣接セルの中で異なるターゲットセル候補に異なるセルアクセスリソースを有する。
【００４２】
好ましいそして許されたターゲットセルを測定及び選択したＵＥは、ターゲットセルにアクセスするためにそれが発生する専用のＳＲ信号がどんなものであるか前もって知る。セルアクセスに割り当てられるＰＵＣＣＨフォーマット１は、通常のＰＵＣＣＨフォーマット１構成をたどり、即ちベースシーケンス及び繰り返しシフトホッピングは、ターゲットセル物理的セルアイデンティティ（ＰＣＩ）に従って決定される。それとは別に、ベースシーケンス及び繰り返しシフトホッピングは、ＲＲＣシグナリングによりＵＥへシグナリングされるバーチャルＰＣＩに基づいて導出することができる。従って、バーチャルＰＣＩは、訪問先セルアクセスに特に使用される。ＵＥは、ターゲットセルのアクセスのためにバーチャルＰＣＩを受け取るように構成される。或いは又、ＵＥは、その現在サービングソースセルのＰＣＩ値をターゲットセルにおける指定バーチャルＰＣＩ値として使用する。それ故、バーチャルＰＣＩは、同じソースセルからターゲットセルにアクセスするＵＥにとって共通であり、そして別のソースセルからターゲットセルにアクセスするＵＥにとっては異なる。小型セルクラスターにおける隣接セルにアクセスするのに使用されるバーチャルＰＣＩリストは、サービングソースセルからの専用シグナリングによりＵＥへ広告される。ＵＥは、訪問先ＰＣＩの指定が明白となり且つ小型セルクラスターに対して有効になる場合だけこの情報を必要とし、そして更新のリストは、利用可能になると与えられる。ターゲットセルのバーチャルＰＣＩとしてソースセルのＰＣＩを使用することは最も簡単な解決策であり、そして隣接セルにおけるセルアクセスリソース及びサービングセルリソースの時間及び周波数が異なる場合には干渉を増加することはない。バーチャルＰＣＩ指定が明白でありそして小型セルクラスター内のＰＣＩの外側の値から与えられた場合には、干渉を減少することもできる。
【００４３】
一実施形態では、セルアクセスＳＲリソースのＵＥ特有の割り当てが使用される。この実施形態では、ＵＥは、小型セルクラスター内の各セルにおいて専用のセルアクセスＳＲリソースを割り当てる。セルアクセスＳＲリソースは、上述したＰＣＩ又はバーチャルＰＣＩのいずれかを使用することができる。ＭｅＮＢのもとで小型セル層への接続を確立するときに、ＵＥは、ｓｃ−ＲＮＴＩと、小型セルクラスター内で動作するための１組の専用のＳＲ定義とを受け取る。一実施形態では、ＵＥは、セルごとに所定のユーザ装置特有のセルアクセスリソースに関する情報を記憶するように構成される。ｓｃ−ＲＮＴＩ管理については、専用のＳＲリソースを管理する同様のメカニズムを使用することができる。
【００４４】
一実施形態では、セルアクセスＳＲリソースのためのパラメータは、次の通りである。
{
Target cell parameters{
Target cell identity (PCI)
Virtual-PCI for the cell access
}
UE-specific parameters {
Virtual PCI for the cell access[ unless this is given by the target cell parameters or derived from the source cell PCI]
Visited-PUCCH resource index [used in defining PRB, OCC and cyclic shift]
Visited-PUCCH config index [defining periodicity and subframe offset]
}
【００４５】
前記情報エレメントは、単一ターゲットセル、１組のターゲットセル、又はターゲットセルのクラスターに対する専用シグナリングにより、ＵＥのために与えられる。複数のセルについてのシグナリングの場合には、ターゲットセルの１つごとに情報エレメントが繰り返される。或いは又、ＰＵＣＣＨ共通構成をターゲットセルパラメータに含ませることもできる。
【００４６】
最適化のために、ターゲットセルパラメータがＲＲＣシグナリングによりＵＥに共通に広告され、ＵＥは、ターゲットセルの訪問先リソースに関する情報を要求することも可能である。この場合には、ＵＥは、ターゲットセル当りのバーチャルＰＣＩ及びターゲットセル当りの訪問先ＰＵＣＣＨリソースを知り、そして特定のターゲットセルについてＵＥ特有のパラメータを得る。
【００４７】
ＰＵＣＣＨリソースのＳＲマルチプレクシング容量は、大きい。というのは、小型セル環境では、アクセス中のＵＥに対して広い遅延拡散又は大きな遅延差が生じないからである。このため、高い密度で繰り返しシフトを使用することができ、従って、毎秒の繰り返しシフトは、物理的リソースブロックＰＲＢ当たり３６個のＳＲ信号を構成できるようにする。
【００４８】
小型セルでは、ＰＵＣＣＨ容量が大きい。というのは、帯域巾が典型的に大きく、小型セル当りのＵＥの数が少なく、ひいては、より多くのＰＵＣＣＨリソースを構成することは、完全に負荷がかかり得る大型セルと同様の悪いコントロールオーバーヘッドではないからである。部分的に負荷のかかったセルからＰＵＣＣＨリソースを予約しても、否定的な影響を与えない。というのは、リソースが利用でき（いずれにせよ、アイドルである）そして使用のために予約される未使用のＰＵＣＣＨが干渉を生じないからである。
【００４９】
図２、３及び４は、本発明の実施形態を示すフローチャートである。これらフローチャートは、小型セルハンドオーバー（ＨＯ）の実現に関連している。図２は、ＵＥの動作の一例を示し、図３は、ソース小型セルの動作を示し、そして図４は、ターゲット小型セルの動作を示す。
【００５０】
図２では、ＵＥは、ステップ２０２において、測定構成又はガイダンス及びイベントトリガーをネットワークから受け取る。この情報は、小型セル構成に関連している。ＵＥは、第１のアイデンティティ、即ちマクロセル接続に関連したｃ−ＲＮＴＩを有するマクロセルとの個別の接続を有する。一実施形態では、第２のアイデンティティ、即ちｓｃ−ＲＮＴＩが小型セル接続に関連している。
【００５１】
ステップ２０４において、ＵＥは、測定を行い、そして候補ターゲットセル、又は１組のターゲット小型セルの好みのリストについて決定する。
【００５２】
ステップ２０６において、ＵＥは、候補ターゲットセル、又はターゲットセルの好みのリストを現在サービング小型セルに通知する。
【００５３】
ステップ２０８において、ＵＥは、許可された又は好ましいターゲットセルを表す応答を小型セルにより受け取る。拒絶されると、手順は終了する（２１０）。サービング小型セルは、ＵＥの好ましいターゲットセルの幾つかへのアクセスを拒絶する。
【００５４】
ステップ２１２において、ＵＥは、小型セルから許可又は好みを受け取り、そしてＵＥは、ターゲットセルを選択するように構成される。サービング小型セルは、ネットワークの好ましいプライオリティ順にターゲットセルの１つ以上にＵＥがアクセスするのを許す要求に対して応答を送信する。この応答は、所与のターゲットセルに対するＳＲリソース割り当てを含む。ＵＥは、許可されたターゲットセルのリストからターゲットセルを選択することができる。
【００５５】
ステップ２１４において、ＵＥは、所与のＳＲリソースを使用してターゲット小型セルにスケジューリング要求を送信することにより小型セルのハンドオーバーを試みる。
【００５６】
図３は、小型セルハンドオーバー中のソース小型セルの動作の一例を示す。
【００５７】
ステップ３０２において、小型セル（ＳＣｅＮＢ）は、小型セルにおけるＵＥ動作のための測定構成又は測定ガイダンス及びイベントトリガーを定義する（マクロセル層に適用できるもの以外の）。
【００５８】
ステップ３０４において、ＳＣｅＮＢは、ＵＥ特有であるか又はターゲットセル特有である隣接小型セルアクセスリソースＰＵＣＣＨ、ＳＲを定義する。
【００５９】
ステップ３０６において、ＳＣｅＮＢは、ハンドオーバーのためにターゲットセルにアクセスする要求をＵＥから受け取る。
【００６０】
ステップ３０８において、ＳＣｅＮＢは、ハンドオーバーのためのターゲットセルへのアクセス要求を許可するか又は拒絶するようにＵＥに応答する。
【００６１】
一実施形態において、アクセス拒絶は、小型セルクラスターに属さないターゲット小型セル、例えば、サービングＭｅＮＢへのネットワークインターフェイスを持たないターゲット小型セルに関するネットワークの知識に基づくものである。他の拒絶は、ターゲット候補の実現性を検証できないサービング小型セルに基づくものであるか、或いは小型セル間での、例えば、通常の又はイベントベースの負荷レポートに基づくターゲットセル負荷に基づくものである。拒絶の理由は、応答に含まれる。
【００６２】
幾つかの理由で（ターゲット小型セルが小型セルクラスターに属しておらず、ターゲットセルアクセスリソースが知られていない）、拒絶は、ｓｃ-ＲＮＴＩを維持する（そしてそのターゲットセルへのＳＲ送信を使用する）小型セルＨＯ方法をＵＥが使用できないが、例えば、ランダムアクセスに基づいて通常のＬＴＥ  ＨＯプロセスをトリガーできることを意味する。換言すれば、この実施形態は、小型セルクラスター間のハンドオーバーを制御する方法をＭｅＮＢに与え、そして小型セルクラスター内のハンドオーバーにおいてＳＣｅＮＢを優位なものにする。１つの小型セルクラスターは、同じＭｅＮＢへの接続に全ての小型セルを含むことができる。
【００６３】
小型セル切り換え要求及び応答の一例：
Small cell change request {
List of target cells [physical cell identity, order in the UE preference list]
}
Small cell change response {
List of target cell [physical cell identity, order in the eNodeB preference list, allow/deny, reason ( ), access resource indication]
}
【００６４】
ＳＣｅＮＢは、必要に応じて、構成及びアクセスリソースを再定義するように構成される。
【００６５】
図４は、小型セルハンドオーバー中のターゲット小型セルの動作を示す。
【００６６】
ステップ４００において、小型セル（ＳＣｅＮＢ）は、ＵＥがこのターゲットセルへのハンドオーバーを行うためにＰＵＣＣＨ、ＳＲのようなアクセスリソースを構成する。これらのアクセスリソースは、サービングセルＰＵＣＣＨ又はランダムアクセスリソースのような他のリソースから分離される。
【００６７】
ステップ４０２において、ＳＣｅＮＢは、これらのアクセスリソースにおいてＵＥからのアクセス要求（スケジューリング要求）をスキャンするように構成される。
【００６８】
ステップ４０４において見つからなかった場合には、プロセスは、ステップ４０２へ続く。
【００６９】
ステップ４０４において見つかった場合には、ＳＣｅＮＢは、アクセスを許可又は拒絶するように構成される。
【００７０】
拒絶の場合には、ＳＣｅＮＢは、ステップ４０８において、ＵＥへ否定応答を送信するように構成される。
【００７１】
許可された場合には、ＳＣｅＮＢは、ステップ４１０においてＵＥへ肯定応答を送信するように構成される。ＳＣｅＮＢは、本発明の実施形態のｓｃ−ＲＮＴＩを使用してアップリンク割り当てで応答する。
【００７２】
ステップ４１２において、ＳＣｅＮＢは、ＵＥと通信するように構成され、そしてｓｃ−ＲＮＴＩを使用してリソースを割り当てる。ＵＥは、ターゲットセルアクセスリソースではなく、サービングセルリソースを使用するように構成される。ｓｃ−ＲＮＴＩは、ＵＥのためのサービングセルリソース、例えば、ＳＲ及びＰＵＣＣＨリソースを構成又は再構成する。これは、これらのリソースがソースＳＣｅＮＢからＵＥへまだシグナリングされていない場合に必要となる。
【００７３】
小型セルの選択について上述した手順は、ＵＥがターゲットセルを自動的に選択することが許可されず、ネットワーク承認のターゲットセルのリストのみから許可されるという意味で、順方向ハンドオーバーではない。ＵＥが、許可されないターゲットセルへのハンドオーバーを実行しなければならない場合には、ＵＥは、ＭｅＮＢ手順又はランダムアクセス手順を使用してもよい。これらは、本発明の実施形態による専用アクセスリソースへのハンドオーバーに比して、エアインターフェイス及びネットワークインターフェイス（Ｘ２及びＭｅＮＢ／ＳＣｅＮＢインターフェイス）を経て著しく長いハンドオーバー遅延及びより多くのシグナリングを生じさせる。
【００７４】
一実施形態では、スケジューリング要求ＳＲメカニズムは、ネットワーク制御される。というのは、ＵＥは、専用のＳＲリソースを有効とした場合にターゲットセルへのＳＲベースアクセスしか行わないからである。例えば、訪問先ＰＵＣＣＨリソースへのターゲットセルアクセスリソースのためのスケジューリング要求信号は、異なるバーチャルセルアイデンティティにより、異なる隣接セルからアクセスするＵＥから分離され、これは、繰り返しシフト選択に対する擬似ランダム振舞いを発生する。換言すれば、異なる隣接ソースセルからターゲットセルにアクセスするＵＥは、異なるシーケンスグループ又はシーケンスグループホッピングパターン及び異なる繰り返しシフトホッピングを使用する。同じソースセルから共通のターゲットセルにアクセスするＵＥに対するＳＲ信号は、異なるＰＵＣＣＨリソースインデックス（例えば、繰り返しシフト）を固有に使用する。というのは、それらインデックスは、ソースセルによって既に整合され（ソースセル動作）、従って、異なる繰り返しシフトにより直交方向に分離されるからである。更に、これらの信号は、別のソースセルからこの同じターゲットセルにアクセスするＵＥからの直交カバーコードＯＣＣ及び／又はＰＵＣＣＨ物理的リソースブロックＰＲＢインデックスによりターゲットセルにおいて分離される。
【００７５】
上述したように、異なる隣接セルからターゲットセルにアクセスするＵＥは、相互に直行しないＳＲ送信リソースを使用する。しかしながら、リソース予約に対してこれが有効であっても、ハンドオーバー目的でＰＵＣＣＨ  ＰＲＢにＳＲ信号を実際に使用する確率は、１組の隣接セルにおける全てのＵＥが専用のＳＲリソースを有する場合には、かなり低い。それ故、より緊密なマルチプレクス構成を、ＳＲ検出の充分高い正確な確率で適用することができる。
【００７６】
非直交ＳＲ送信のための信号分離は、バーチャルＰＣＩから導出されるパターンに従って生じるベースシーケンスホッピングにより与えられる。付加的な信号分離は、バーチャルＰＣＩから導出されるパターンに従って生じる繰り返しシフトホッピングにより与えられる。それ故、異なるバーチャルＰＣＩによる個々のＵＥアクセスにより使用される繰り返しシフトの偽検出は、更に減少される。
【００７７】
本発明の実施形態は、二重接続性のケースで小型セル切り換え時のシグナリングオーバーヘッド及びレイテンシーに効果がある。小型セルクラスターのターゲットセルのアクセスのために容易に利用できるスケジューリング要求シーケンスを有するＵＥは、ソースセルからの許可の要求以外の準備アクションを伴わずに、ＵＥが任意のターゲットセルへの非競合ベースアクセスを行うことを許す。これは、セル切り換えにおけるＲＡＣＨ手順を省略し、且つソースセルがターゲットセルから取得することで新たなｃ−ＲＮＴＩを許可する必要性を省略する。ＵＥが、測定結果をレポートせずに、ターゲットセル候補だけをレポートして、測定に基づき、ターゲットセルをそれ自身で決定する場合には、大量の、頻繁な測定レポートは、不必要となる。ハンドオーバー目的のＲＡＣＨリソースの割り当ては、１つのＲＡＣＨ機会ごとに最小限６ＰＲＢを消費し、これは、（６＊３６）２１６のＳＲリソースに対応し、又はより緊密な繰り返しシフトマッピングが適用できる場合にはそれ以上（６＊７２＝４３２）に対応する。加えて、ＲＡＣＨ手順は、専用のプリアンブル予約のメカニズムを使用しない限り、衝突の危険があるという欠点がある。しかしながら、専用のプリアンブル予約は、専用のプリアンブル使用の動的シグナリング及び管理を要求する。というのは、ＲＡＣＨシーケンスファミリーが小さく、それ故、専用のプリアンブル予約は、長く保つことができない。
【００７８】
これらの効果は、二重接続性を伴う小型セルシナリオで達成することができる。というのは、レガシーマクロセルモビリティへの切り換えを意味しないからである。
【００７９】
図５は、一実施形態を示す。この図は、本発明の実施形態が適用される装置の簡単な図である。ある実施形態では、装置は、ベースステーション又はｅＮｏｄｅＢ又はｅＮｏｄｅＢの一部分である。
【００８０】
この装置は、ある実施形態を示す一例としてここに描かれていることを理解されたい。当業者であれば、この装置は、他の機能及び／又は構造も備え、そしてここに述べる全ての機能及び構造が要求されるのではないことが明らかであろう。この装置は、１つのエンティティとして描かれているが、異なるモジュール及びメモリが１つ以上の物理的又は論理的エンティティで実施されてもよい。
【００８１】
この例の装置は、装置の動作の少なくとも一部分を制御するように構成されたコントロール回路５００を備えている。
【００８２】
この装置は、データを記憶するためのメモリ５０２を備えている。更に、メモリは、コントロール回路５００により実行可能なソフトウェア５０４を記憶する。メモリは、コントロール回路に一体化されてもよい。
【００８３】
この装置は、トランシーバ５０６を備えている。このトランシーバは、コントロール回路５００に動作上接続される。これは、１つ以上のアンテナ素子又はアンテナを含むアンテナ構成体５０８に接続される。
【００８４】
ソフトウェア５０４は、装置のコントロール回路５００がトランシーバ５０６を制御するようにさせるプログラムコード手段を含むコンピュータプログラムを備えている。
【００８５】
この装置は、更に、コントロール回路５００に動作上接続されたインターフェイス５１０も備えている。このインターフェイスは、装置を、Ｘ２インターフェイスを経てｅＮｏｄｅＢのような他の各装置に接続するか、又はコアネットワークに接続する。
【００８６】
この装置は、ローカルエリアベースステーションクラスターを形成する他の対応装置に接続されたローカルエリアベースステーションである。
【００８７】
コントロール回路５００は、１つ以上のアプリケーションを実行するように構成される。これらアプリケーションは、メモリ５０２に記憶される。
【００８８】
一実施形態において、これらアプリケーションは、この装置が、ローカルエリアベースステーションのクラスターに属し；接続に関連した第１のアイデンティティを有するユーザ装置との接続を有し；スケジューリング要求をクラスターの別のローカルエリアベースステーションへ送信する要求であって、ターゲット候補ベースステーションのリストを含む要求をユーザ装置から受信し；ターゲット候補ベースステーションのリストから１つ以上の適当なターゲットベースステーションを決定し；スケジューリング要求を送信するためのリソースを決定し；及びその要求に対する応答をユーザ装置へ送信する；ようにさせ、この応答は、リストの１つ以上のベースステーションを許可されたターゲットとして含み、そしてスケジューリング要求を第２のローカルエリアベースステーションへ送信するためのリソースに関する情報を含むものである。
【００８９】
一実施形態において、これらアプリケーションは、この装置が、ローカルエリアベースステーションのクラスターに属し；クラスターに属する別のローカルエリアベースステーションに接続されたユーザ装置からスケジューリング要求を受信し、その接続は、所与のアイデンティティに関連したものであり；通信リソースをユーザ装置に割り当て、ユーザ装置との通信を開始して、所与のアイデンティティをユーザ装置との接続に関連付ける；ようにさせる。
【００９０】
図６は、一実施形態を示す。この図は、本発明の実施形態が適用される装置の簡単な図である。ある実施形態では、装置は、ユーザ装置又はユーザ装置の一部分である。
【００９１】
この装置は、ある実施形態を示す一例としてここに描かれていることを理解されたい。当業者であれば、この装置は、他の機能及び／又は構造も備え、そしてここに述べる全ての機能及び構造が要求されるのではないことが明らかであろう。この装置は、１つのエンティティとして描かれているが、異なるモジュール及びメモリが１つ以上の物理的又は論理的エンティティで実施されてもよい。
【００９２】
この例の装置は、装置の動作の少なくとも一部分を制御するように構成されたコントロール回路６００を備えている。
【００９３】
この装置は、データを記憶するためのメモリ６０２を備えている。更に、メモリは、コントロール回路６００により実行可能なソフトウェア６０４を記憶する。メモリは、コントロール回路に一体化されてもよい。
【００９４】
この装置は、トランシーバ６０６を備えている。このトランシーバは、コントロール回路６００に動作上接続される。これは、１つ以上のアンテナ素子又はアンテナを含むアンテナ構成体６０８に接続される。
【００９５】
ソフトウェア６０４は、装置のコントロール回路６００がトランシーバ６０６を制御するようにさせるプログラムコード手段を含むコンピュータプログラムを備えている。
【００９６】
この装置は、更に、コントロール回路６００に動作上接続されたユーザインターフェイス６１０も備えている。このユーザインターフェイスは、例えば、タッチ感知であるディスプレイ、キーボード、マイクロホン、及びスピーカを含む。
【００９７】
コントロール回路６００は、１つ以上のアプリケーションを実行するように構成される。これらアプリケーションは、メモリ６０２に記憶される。
【００９８】
一実施形態において、これらアプリケーションは、この装置が、マクロセルにサービスするベースステーションとの第１の接続及びローカルエリアベースステーションのクラスターに属する第１のローカルエリアベースステーションとの第２の接続を有し；その第１の接続に関連した第１のアイデンティティ及びその第２の接続に関連した第２のアイデンティティを有し；クラスターに属する第２のローカルエリアベースステーションへスケジューリング要求を送信し；及び第２のローカルエリアベースステーションから応答を受信しそして第２のローカルエリアベースステーションとの接続に第２のアイデンティティを関連付けた後に第２のローカルエリアベースステーションと通信する；ようにさせる。
【００９９】
図７は、本発明の一実施形態を示すシグナリングチャートである。この図は、ＵＥとソースセルとターゲットセルとの間の専用のシグナリングによるターゲットセルアクセスの一例を示す。
【０１００】
ステップ７００において、ＵＥは、測定を行い、そして候補ターゲットセル又は１組のターゲット小型セルの好ましいリストを決定する。
【０１０１】
次いで、ＵＥは、候補ターゲットセル又はターゲットセルの好ましいリストを示すメッセージ７０４を現在サービング小型セルへ送信する。
【０１０２】
次いで、ステップ７０４において、ターゲットセルアクセスリソースが決定される。このリソースは、訪問先ＰＵＣＣＨリソース、ＲＮＴＩ及びバーチャルＰＣＩを含む。
【０１０３】
ソースセルがこれらのパラメータをどのように形成するかについて種々の方法がある。それらは、小型セルクラスターのセルに対して容易に構成され、その場合に、クラスターの全てのセルは、クラスターの全てのセルに使用するパラメータが分かっているか（小型セル構成段階から）、又はソースセルは、ターゲットセル候補から、それに使用する特定の構成を求めねばならないか（小型セルネゴシエーションより相当に低速のマクロセルを伴わずに）、又はソースセルは、この情報を、例えば、ローカルセル管理ソフトウェア、ローカルクラウド、又はローカルドメインサポートノードから得る。
【０１０４】
ソースセルは、応答７０６をＵＥへ送信する。この応答は、受け容れたターゲットセル及びリソース指示を含む。このメッセージは、例えば、物理的セルアイデンティティＰＣＩ、ｅＮＢの好ましいリストにおける順序、許可／拒絶、理由、ＳＲアクセスリソース指示を含む。訪問先ＰＵＣＣＨリソース、ＲＮＴＩ、バーチャルＰＣＩは、それらが他の仕方で知られない限り、ターゲットセル指示メッセージにおいて与えられる。ある実施形態では、訪問先ＰＵＣＣＨは、小型セルの構成から分かり、ＲＮＴＩは、小型セルクラスターにおいて有効な既にシグナリングされたｓｃ−ＲＮＴＩとして知られ、バーチャルＰＣＩは、ソースセルＰＣＩから導出される。
【０１０５】
ＵＥは、所与のリソースを使用してターゲット小型セルへスケジューリング要求７０８を送信する。
【０１０６】
ターゲットセルは、この例では、肯定応答７１０を送信する。ターゲットセルは、ｓｃ−ＲＮＴＩを使用してアップリンク割り当てで応答する。
【０１０７】
前記説明及び添付図面に示されたステップ及び関連機能は、絶対的な時間順序のものではなく、そして幾つかのステップは、所与のものとは異なる順序で又は同時に遂行されてもよい。又、ステップ間又はステップ内で他の機能を実行することもできる。幾つかのステップは、除外されてもよいし、又は対応するステップと交換されてもよい。
【０１０８】
上述したステップを遂行できる装置又はコントローラは、電子デジタルコンピュータとして、或いはワーキングメモリ（ＲＡＭ）、中央処理ユニット（ＣＰＵ）及びシステムクロックより成る回路として、実施されてもよい。ＣＰＵは、１組のレジスタ、演算論理ユニット、及びコントローラを含む。コントローラ又は回路は、ＲＡＭからＣＰＵへ転送されるプログラムインストラクションのシーケンスによって制御される。コントローラは、基本的動作のための多数のマイクロインストラクションを含む。マイクロインストラクションの実施は、ＣＰＵ設計に基づいて変化する。プログラムインストラクションは、Ｃ、Ｊａｖａ（登録商標）、等の高レベルプログラミング言語、又はマシン言語又はアッセンブラー、等の低レベルプログラム言語であるプログラミング言語によってコード化される。又、電子デジタルコンピュータは、プログラムインストラクションで書かれたコンピュータプログラムへシステムサービスを提供するオペレーティングシステムも有する。
【０１０９】
本書に使用する「回路」という語は、次の全てを指す。（ａ）アナログ及び／又はデジタル回路のみでの実施のようなハードウェアのみの回路実施、（ｂ）回路及びソフトウェア（及び／又はファームウェア）の組み合わせ、例えば（場合に応じて）、（ｉ）プロセッサの組み合わせ、又は（ii）装置に種々の機能を実行させるように一緒に機能するデジタル信号プロセッサ、ソフトウェア及びメモリを含むプロセッサ／ソフトウェアの部分、及び（ｃ）ソフトウェア又はファームウェアが物理的に存在しなくても、動作のためにソフトウェア又はファームウェアを要求するマイクロプロセッサ又はマイクロプロセッサの一部分である回路。
【０１１０】
「回路」のこの定義は、本書においてこの語の全ての使用に適用される。更なる例として、本書で使用する「回路」という語は、単に、プロセッサ（又は複数プロセッサ）又はプロセッサの一部分及びその添付ソフトウェア及び／又はファームウェアの実施もカバーする。又、「回路」という語は、例えば、特定の要素に適用する場合には、移動電話のための基本帯域集積回路又はアプリケーションプロセッサ集積回路、或いはサーバー、セルラーネットワーク装置又は別のネットワーク装置における同様の集積回路もカバーする。
【０１１１】
一実施形態は、配布媒体で実施されるコンピュータプログラムであって、電子装置にロードされたときに、前記実施形態を実行するように装置を制御制御するよう構成されたプログラムインストラクションを含むコンピュータプログラムを提供する。
【０１１２】
コンピュータプログラムは、ソースコード形態、オブジェクトコード形態又はその中間形態であり、そしてプログラムを搬送できるエンティティ又は装置である一種のキャリアに記憶される。そのようなキャリアは、例えば、レコード媒体、コンピュータメモリ、リードオンリメモリ、及びソフトウェア配布パッケージを含む。必要とされる処理パワーに基づき、コンピュータプログラムは、単一の電子デジタルコンピュータで実行されるか、又は多数のコンピュータ間に配布される。
【０１１３】
又、この装置は、特定用途向け集積回路ＡＳＩＣのような１つ以上の集積回路として実施されてもよい。又、個別論理コンポーネントで作られた回路のような他のハードウェア実施形態も実現可能である。これら異なる実施形態の混成も実現可能である。実施の方法を選択するとき、当業者であれば、例えば、装置のサイズ及び電力消費について設定された要件、必要な処理容量、生産コスト、及び生産量が考慮されるであろう。
【０１１４】
又、技術の進歩と共に、本発明の概念は、種々の仕方で実施できることが当業者に明らかであろう。本発明及びその実施形態は、以上に述べた例に限定されず、特許請求の範囲内で変更することができる。
【符号の説明】
【０１１５】
１００：ＳＡＥゲートウェイ（ＧＷ）
１０２：ＭＭＥ
１０４：インターネット（ＮＥＴ）
１０６：ｅＮｏｄｅＢ
１０８：セル
１１０：ユーザ装置（ＵＥ）
１１２、１１４、１１６：小型セル
１１８、１２０、１２２：ノード
１２４、１２６：周波数層
５００：コントロール回路
５０２：メモリ
５０４：ソフトウェア
５０６：トランシーバ
５０８：アンテナ構成体
５１０：インターフェイス
【図１】
0006469750.tif 000002
【図２】
0006469750.tif 000003
【図３】
0006469750.tif 000004
【図４】
0006469750.tif 000005
【図５】
0006469750.tif 000006
【図６】
0006469750.tif 000007
【図７】
0006469750.tif 000008